(57)【要約】  低ＶＯＣ、低蒸気圧、低引火点、及び非発泡性肥料安定剤組成物は、（Ａ）式１の２つ以上のグリコールエーテル（Ｒ１及びＲ３の各々は独立して、水素またはフェニルであるが、但し、Ｒ１及びＲ３は、同時に水素ではなく、ｎは、３〜１０の整数であり、Ｒ２は、９０〜１００％の水素または０〜１０％のメチル、エチル、またはフェニルのうちの１つ以上である）と、と、少なくとも１つの肥料安定剤、例えば、Ｎ−アルキルチオリン酸トリアミドと、を含む。【化１】2018534225.tif 000009
2018534225.tif 000002
【特許請求の範囲】
【請求項１】
肥料安定剤（ｆｅｒｔｉｌｉｚｅｒ  ｓｔａｂｉｌｉｚｅｒ）組成物であって、
（Ａ）式１の２つ以上のグリコールエーテル
【化１】
2018534225.tif 000008
（式中、
Ｒ１及びＲ３の各々は独立して、水素またはフェニルであるが、但し、Ｒ１及びＲ３は、同時に水素ではなく、
ｎは、３〜１０の整数であり、
Ｒ２は、９０〜１００％の水素または０〜１０％の、メチル、エチル、またはフェニルのうちの１つ以上である）と、
（Ｂ）少なくとも１つの肥料安定剤と、を含み、
前記肥料安定剤組成物は、以下の特性：
（１）ＡＳＴＭ  Ｅ１７１９で測定する、２０℃で、（≦）０．０１ミリメートル水銀柱（ｍｍＨｇ）以下の蒸気圧、
（２）ＡＳＴＭ  Ｄ３２７８で測定する、（≧）２００°Ｆ（９３℃）以上の引火点、
（３）ＡＳＴＭ  Ｄ４４５で測定する、２５℃で（≦）２００センチポアズ（ｃＰ）以下の粘度、
（４）ＡＳＴＭ  Ｄ４２７４で測定する、１００〜１，０００のヒドロキシル価、及び
（５）ＡＳＴＭ  Ｄ６８８６で測定する、（≦）５０重量パーセント（重量％）以下のＶＯＣ含有量のうちの少なくとも１つを有することを特徴とする、肥料安定剤組成物。
【請求項２】
前記少なくとも１つの肥料安定剤が、
（１）Ｎ−Ｃ１−６アルキルチオリン酸トリアミド、
（２）ジシアンジアミド、
（３）ニトラピリン、及び
（４）マレイン酸−イタコン酸コポリマーの塩のうちの少なくとも１つである、請求項１に記載の肥料安定剤組成物。
【請求項３】
４０〜９９．９９重量％の前記式１の２つ以上のグリコールエーテル、及び０．０１〜６０重量％の前記肥料安定剤を含む、請求項１に記載の肥料安定剤組成物。
【請求項４】
式１のＲ１が、水素であり、式１のＲ３が、フェニルである、請求項１に記載の肥料安定剤組成物。
【請求項５】
式１のＲ１が、フェニルであり、式１のＲ３が、水素である、請求項１に記載の肥料安定剤組成物。
【請求項６】
前記肥料安定剤が、Ｎ−Ｃ１−６アルキルチオリン酸トリアミドであり、前記アルキルが、プロピルまたはブチルである、請求項１に記載の肥料安定剤組成物。
【請求項７】
前記式１のグリコールエーテル以外のグリコールをさらに含む、請求項１に記載の肥料安定剤組成物。
【請求項８】
蒸気圧、引火点、粘度、ヒドロキシル価、及びＶＯＣ含有量の前記特性のうちの少なくとも２つを有する、請求項１に記載の肥料安定剤組成物。
【請求項９】
蒸気圧、引火点、粘度、ヒドロキシル価、及びＶＯＣ含有量の前記特性のうちの少なくとも３つを有する、請求項１に記載の肥料安定剤組成物。
【請求項１０】
蒸気圧、引火点、粘度、ヒドロキシル価、及びＶＯＣ含有量の前記特性のうちの少なくとも４つを有する、請求項１に記載の肥料安定剤組成物。
【請求項１１】
蒸気圧、引火点、粘度、ヒドロキシル価、及びＶＯＣ含有量の前記特性の５つすべてを有する、請求項１に記載の肥料安定剤組成物。
【請求項１２】
肥料組成物であって、
（Ａ）請求項２に記載の肥料安定剤組成物と、
（Ｂ）窒素系肥料と、を含む、肥料組成物。
【請求項１３】
前記窒素系肥料が、尿素、尿素硝酸アンモニウム、アンモニア、及び堆肥のうちの少なくとも１つである、請求項１２に記載の肥料組成物。
【請求項１４】
前記肥料安定剤組成物が、前記窒素系肥料の重量に基づいて、０．０１〜１０重量％の前記肥料組成物を含む、請求項１２に記載の肥料組成物。
【発明の詳細な説明】
【背景技術】
【０００１】
窒素肥料は、収量と相関するため、農業における重要な投入物である。窒素肥料が地面に適用された後、窒素肥料は、揮発、または肥料が窒素循環を経るに従い、地下水へ滲出することにより失われ得る。投資及び環境への影響を最小化するために、窒素肥料は、多くの場合、肥料安定剤（ｆｅｒｔｉｌｉｚｅｒ  ｓｔａｂｉｌｉｚｅｒ）で処理される。一般的な肥料安定剤製品は、例えばＡＧＲＯＴＡＩＮ、Ｎ−ＳＥＲＶＥ、及びＮＵＴＲＩＳＰＨＥＲＥ−Ｎである。
【０００２】
Ｎ−アルキルチオリン酸トリアミドウレアーゼ阻害剤、例えば、Ｎ−ブチルチオリン酸トリアミド（ＮＢＰＴ）は、窒素肥料尿素を安定化させるために農耕で使用される。Ｎ−アルキルチオリン酸トリアミドウレアーゼ阻害剤は、（Ｋｏｃｈ製のＡＧＲＯＴＡＩＮ（商標）に見られるような）Ｎ−メチル−２−ピロリドン（ＮＭＰ）とプロピレングリコールとの混合物中で最も一般的に配合されている。ＮＭＰは、結晶阻害剤として使用されているが、ＮＭＰは、毒性が高い。ジメチルスルホキシド（ＤＭＳＯ）（米国の公開された特許出願第２０１５／０１４３８６０Ａ１号を参照されたい）、ベンジルアルコール（ＢＡＳＦ製のＬＩＭＵＳ（商標））、アミノアルコール等の他の溶媒も、ＮＢＰＴのための優れた溶媒として知られている。
【０００３】
一部のグリコールエーテル溶媒は、ＮＢＰＴのための優れた溶媒として知られている（例えば、Ａｇｒａ製のＳｔａｂｉｌｕｒｅＮ（商標）、ＥＰ２  ０３２  ５８９  Ｂ１を参照されたい）。しかしながら、すべてのグリコールエーテルが同じ特性を有するとは限らない。アルキルグリコールエーテル溶媒は、ＮＢＰＴを溶解することで知られているが、該溶媒は、強い臭気、低引火点、及び高揮発性有機化合物（ＶＯＣ）含有量を有する。有効なＮＢＰＴ担体として知られている別の種類のアルキルグリコールエーテルは、本質的に界面活性剤であり、これは、配合物中に消泡剤を必要とする、肥料溶液中に深刻な発泡問題を引き起こす（ＵＳＰ９，０９０，５１６及びＵＳＰ９，０９６，４７６を参照されたい）。これらの引用した特許に基づいて、グリコールエーテル界面活性剤とグリコールエーテル溶媒は、両方とも一般的にグリコールエーテルと呼ばれるが、これらは性能的に異なる。グリコールエーテル溶媒は、特定の構造に応じて、異なる度合の化学安定性をＮＢＰＴに提供する。例えば、ＮＢＰＴ及びジプロピレングリコールメチルエーテルを含有する溶液は、周囲温度で一カ月以内に強い黄色を発現させる。
【０００４】
溶媒臭気を減少させ、かつ危険なＮＭＰを排除することによって、改善された使用者の取り扱い体験をもたらし、揮発性有機含有量を最小レベルにまで下げることによって、大気汚染物質の放出を減少させるＮＢＰＴのための代替の溶媒系が所望される。
【発明の概要】
【０００５】
一実施形態において、本発明は、肥料安定剤（ｆｅｒｔｉｌｉｚｅｒ  ｓｔａｂｉｌｉｚｅｒ）組成物であって、
【０００６】
（Ａ）式１の２つ以上のグリコールエーテル
【０００７】
【化１】
2018534225.tif 000003
【０００８】
（式中、
Ｒ１及びＲ３の各々は独立して、水素またはフェニルであるが、但し、Ｒ１及びＲ３は、同時に水素ではなく、
ｎは、３〜１０の整数であり、
Ｒ２は、９０〜１００％の水素及び０〜１０％の、メチル、エチル、またはフェニルのうちの１つ以上である）と、
（Ｂ）少なくとも１つの肥料安定剤と、を含み、
該肥料安定剤組成物は、以下の特性：
（１）ＡＳＴＭ  Ｅ１７１９で測定する、２０℃で、（≦）０．０１ミリメートル水銀柱（ｍｍＨｇ）以下の蒸気圧、
（２）ＡＳＴＭ  Ｄ３２７８で測定する、（≧）２００°Ｆ（９３℃）以上の引火点、
（３）ＡＳＴＭ  Ｄ４４５で測定する、２５℃で（≦）２００センチポアズ（ｃＰ）以下の粘度、
（４）ＡＳＴＭ  Ｄ４２７４で測定する、１００〜１，０００のヒドロキシル価、及び
（５）ＡＳＴＭ  Ｄ６８８６で測定する、（≦）５０重量パーセント（重量％）以下のＶＯＣ含有量のうちの少なくとも１つを有することを特徴とする、肥料安定剤組成物である。
【０００９】
一実施形態において本発明は、
（Ａ）前記の段落に記載される肥料安定剤組成物と、
（Ｂ）窒素系肥料と、を含む、肥料組成物である。
【００１０】
一実施形態において、本発明の肥料安定剤組成物は、Ｎ−Ｃ１−６アルキルチオリン酸トリアミド、ジシアンジアミド、ニトラピリン、及びマレイン酸−イタコン酸コポリマーの塩のうちの少なくとも１つを含む。一実施形態において、本発明の肥料安定剤組成物は、ＮＭＰを含まないか、または実質的に含まない。
【００１１】
この発明の本発明の肥料安定剤組成物は、低引火点及び臭気プロファイル、容易な取り扱いのための低流動点、低ＶＯＣ含有量を有し、該組成物は、肥料溶液中で発泡せず、該組成物は、ＮＢＰＴに化学及び熱安定性をもたらす。
【発明を実施するための形態】
【００１２】
定義
それに反して述べるか、文脈から暗黙的であるか、または当分野において慣習的ではない限り、すべての部及びパーセントは重量に基づき、すべての試験方法は、本開示の出願日付けで最新である。米国特許実務の目的上、あらゆる参照される特許、特許出願または公開の内容は、特に、（本開示に具体的に提供されるあらゆる定義と矛盾しない程度において）定義の開示及び当分野の一般知識に関して、その全体が参照により組み込まれる（またはその同等の米国版が参照により組み込まれる）。
【００１３】
すべての百分率、好ましい量または測定値、範囲、及び終了点は、始めと終りを含み、つまり、「最大１０」は、１０を含む。「少なくとも」は、「以上」と等しく、したがって、「最大で」は「以下」と等しい。数値は、具体的に別途示されない限り近似値である。「少なくとも」、「超」、もしくは「以上」、または同様にと記載されるパラメータから、「最大（ａｔ  ｍｏｓｔ）」、「最大（ｕｐ  ｔｏ）」、「未満」、「以下」または同様にと記載されるパラメータまでのすべての範囲は、各パラメータに示される相対的嗜好度に関わらず、好ましい範囲である。従って、最も好ましい上限と組み合わせた有利な下限を有する範囲は、本開示の実施に好ましい。用語「有利な」は、必要とされるよりも高い嗜好度を表すのに使用されるが、必要とされるよりも低い嗜好度は、用語「好ましくは」によって示される。数値範囲は、他のものの中でもとりわけ、本発明の様々な組成物中の構成成分の量のために本開示内に提供される。
【００１４】
グリコールエーテル
本発明の肥料安定剤組成物は、式１の２つ以上のグリコールエーテル
【００１５】
【化２】
2018534225.tif 000004
【００１６】
（式中、
Ｒ１及びＲ３の各々は独立して、水素またはフェニルであるが、但し、Ｒ１及びＲ３は、同時に水素ではなく、
ｎは、３〜１０の整数であり、
Ｒ２は、９０〜１００％の水素及び０〜１０％の、メチル、エチルまたはフェニルのうちの１つ以上である）を含む。
【００１７】
一実施形態において、Ｒ１が水素である場合、Ｒ３はフェニルである。一実施形態において、Ｒ１がフェニルである場合、Ｒ３は水素である。一実施形態において、Ｒ１及びＲ３の両方が、フェニルである。一実施形態において、ｎは、３、または４、または５、または６、または７、または８、または９の整数である。一実施形態において、ｎは、３〜４、もしくは５、もしくは６、もしくは７、もしくは８、もしくは９、もしくは１０；または４〜５、もしくは６、もしくは７、もしくは８、もしくは９もしくは１０；または５〜６、もしくは７、もしくは８、もしくは９、もしくは１０；または６〜７、もしくは８、もしくは９、もしくは１０；または７〜８、もしくは９、もしくは１０；または８〜９もしくは１０；または９もしくは１０の整数である。一実施形態において、Ｒ２は、少なくとも９１％、または９２％、または９３％、または９４％、または９５％、または９６％、または９７％、または９８％、または９９％〜１００％の水素である。一実施形態において、Ｒ２は、少なくとも１％、または２％、または３％、または４％、または５％、または６％、または７％、または８％、または９％〜１０％の、メチル、エチルまたはフェニルのうちの１つ以上である。「少なくとも９１％、または９２％、または．  ．」は、Ｒ２の値が整数、例えば、９１、９２等、または分数、例えば、９１．１、もしくは９２．１等であり得ることを意味する。「少なくとも１％、または２％、または．  ．  ．」は、Ｒ２の値が、整数、例えば、１、２等、または分数、例えば、１．１、もしくは２．１等であり得ることを意味する。
【００１８】
「式１の２つ以上のグリコールエーテル」は、該液体組成物が、式１の少なくとも２つの異なるグリコールエーテル、例えば、Ｒ１が水素である第１のグリコールエーテル、及びＲ１がフェニルである第２のグリコールエーテル（２つのグリコールエーテルのすべての他の置換成分もしくは構成成分が同じである）；またはｎが３である第１のグリコールエーテル、及びｎが１０である第２のグリコールエーテル（２つのグリコールエーテルのすべての他の置換成分もしくは構成成分が同じである）等を含むことを意味する。グリコールエーテルは、互いに２つ以上の置換成分または構成成分が異なり得、肥料安定剤組成物は、任意の数の式１の異なるグリコールエーテルを含み得る。
【００１９】
肥料安定剤組成物中のグリコールエーテルの総量に基づいて、どのグリコールエーテルの量も、大きく異なり得る。一般的に、いずれのグリコールエーテルも１つで、肥料安定剤組成物中のグリコールエーテルの総量の９９重量％超、より一般的に、肥料安定剤組成物中のグリコールエーテルの総量の９０以下、または８０、または７０、または６０、または５０重量％を構成しない。一実施形態において、式１のもの以外のグリコール、例えば、エチレン及び／またはプロピレングリコール、グリセロール、ポリアルキレングリコール等も、存在していてもよく、これらは、肥料安定剤組成物の総グリコール含有量の半分を超える量または半分以下の量のいずれかで存在し得るが、典型的には、これらは、半分を超える量で存在する（すなわち、これらは、肥料安定剤組成物の総グリコール含有量の５０重量％未満、より典型的には２５重量％未満を構成する）。
【００２０】
式１のグリコールエーテルは、既知の化合物であり、ＤＯＷＡＮＯＬ（商標）  ＥＰｈ６等が市販されている。
【００２１】
肥料安定剤
本発明の肥料安定剤組成物は、１つ以上の肥料安定剤を含む。これらの安定剤は、Ｎ−Ｃ１−６アルキルチオリン酸トリアミド、ジシアンジアミド、ニトラピリン、及びマレイン酸−イタコン酸コポリマーの塩を含むが、これらに限定されない。Ｎ−Ｃ１−６アルキルチオリン酸トリアミドに関して、アルキルは、直鎖または分岐鎖であり得、好ましくは、アルキルは、プロピルまたはブチルである。一実施形態において、本肥料安定剤組成物は、肥料安定剤を1つだけ含み、一実施形態において、この肥料安定剤は、Ｎ−Ｃ１−６アルキルチオリン酸トリアミド、好ましくは、Ｎ−（ｎ−ブチル）チオリン酸トリアミド（ＮＢＰＴ）またはＮ−（ｎ−プロピル）チオリン酸トリアミド（ＮＰＰＴ）である。
【００２２】
肥料安定剤組成物
一実施形態において、本発明の肥料安定剤組成物は、０．０１〜６０重量％、好ましくは０．０１〜３５重量％、より好ましくは０．０１〜２５重量％の肥料安定剤と、４０−９９．９９重量％、好ましくは６５〜９９．９９重量％、より好ましくは７５〜９９．９９重量％のグリコールエーテルと、を含む。
【００２３】
本発明の肥料安定剤組成物は、周囲条件（２０−２５℃及び大気圧）で液体であり、典型的には溶液である（すなわち、あらゆる著しい微粒子含有量を有しない）。換言すると、本肥料安定剤は典型的にグリコール混合物、すなわち、式１の２つ以上のグリコールエーテル及び存在し得る任意の追加のグリコール／溶媒に可溶性である。
【００２４】
一実施形態において、本発明の肥料安定剤組成物は、低揮発性有機化合物（ＶＯＣ）含有量、典型的には、ＡＳＴＭ  Ｄ６８８６で測定する、（≦）５０重量パーセント（重量％）以下、より典型的には≦３０重量％、または≦１０重量％、または≦４重量％を有する。
【００２５】
一実施形態において、本発明の肥料安定剤組成物は、低蒸気圧、典型的には、２０℃でＡＳＴＭ  Ｅ１７１９で測定する、（≦）０．０１ミリメートル水銀柱（ｍｍＨｇ）以下、または≦０．００１ｍｍＨｇ、または≦０．０００１ｍｍＨｇ、を有する。
【００２６】
一実施形態において、本発明の肥料安定剤組成物は、２５℃でＡＳＴＭ  Ｄ４４５で測定する、（≦）２００以下、または≦１００センチポアズ（ｃＰ）の粘度を有する。
【００２７】
一実施形態において、本発明の肥料安定剤組成物は、ＡＳＴＭ  Ｄ３２７８で測定する、（≧）２００°Ｆ（９３℃）以上、または≧２５０°Ｆ（１２１℃）の引火点を有する。
【００２８】
一実施形態において、本発明の肥料安定剤組成物は、ＡＳＴＭ  Ｄ４２７４で測定する、１００〜１，０００、または１００〜８００、または１００〜６００のヒドロキシル価を有する。
【００２９】
一実施形態において、本発明の肥料安定剤組成物は、先の実施形態に記載されるように、ＶＯＣ含有量、蒸気圧、粘度、引火点、及びヒドロキシル価の特性のうちの少なくとも２つ、または少なくとも３つ、または少なくとも４つ、または５つすべてを有する。
【００３０】
一実施形態において、本発明の肥料安定剤組成物は、０．０１〜６０重量％、好ましくは０．０１〜３５重量％、より好ましくは０．０１〜２５重量％の肥料安定剤と、４０−９９．９９重量％、好ましくは６５〜９９．９９重量％、より好ましくは７５〜９９．９９重量％の式１の２つ以上のグリコールエーテルから本質的に構成される。
【００３１】
一実施形態において、本発明の肥料安定剤組成物は、０．０１〜６０重量％、好ましくは０．０１〜３５重量％、より好ましくは０．０１〜２５重量％の、Ｎ−Ｃ１−６アルキルチオリン酸トリアミド、ジシアンジアミドニトラピリン及びマレイン酸−イタコン酸コポリマーの塩のうちの少なくとも１つと、４０−９９．９９重量％、好ましくは６５〜９９．９９重量％、より好ましくは７５〜９９．９９重量％の式１の２つ以上のグリコールエーテルから本質的に構成される。
【００３２】
一実施形態において、本発明の肥料安定剤組成物は、０．０１〜６０重量％、好ましくは０．０１〜３５重量％、より好ましくは０．０１〜２５重量％の、Ｎ−（ｎ−ブチル）チオリン酸トリアミド（ＮＢＰＴ）、またはＮ−（ｎ−プロピル）チオリン酸トリアミド（ＮＰＰＴ）のうちの少なくとも１つと、４０−９９．９９重量％、好ましくは６５〜９９．９９重量％、より好ましくは７５〜９９．９９重量％の式１の２つ以上のグリコールエーテルと、から本質的に構成される。
【００３３】
一実施形態において、本発明の肥料安定剤組成物は、０．０１〜６０重量％、好ましくは０．０１〜３５重量％、より好ましくは０．０１〜２５重量％の肥料安定剤と、４０−９９．９９重量％、好ましくは６５〜９９．９９重量％、より好ましくは７５〜９９．９９重量％の、式１のグリコールエーテルのうちの２つ以上と、から構成される。
【００３４】
一実施形態において、本発明の肥料安定剤組成物は、０．０１〜６０重量％、好ましくは０．０１〜３５重量％、より好ましくは０．０１〜２５重量％の、Ｎ−Ｃ１−６アルキルチオリン酸トリアミド、ジシアンジアミドニトラピリン、及びマレイン酸−イタコン酸コポリマーの塩のうちの少なくとも１つと、４０〜９９．９９重量％、好ましくは６５〜９９．９９重量％、より好ましくは７５〜９９．９９重量％の式１の２つ以上のグリコールエーテルと、から構成される。
【００３５】
一実施形態において、本発明の肥料安定剤組成物は、０．０１〜４０重量％、好ましくは０．０１〜２５重量％の、Ｎ−（ｎ−ブチル）チオリン酸トリアミド（ＮＢＰＴ）またはＮ−（ｎ−プロピル）チオリン酸トリアミド（ＮＰＰＴ）のうちの少なくとも１つと、４０−９９．９９重量％、好ましくは６５〜９９．９９重量％、より好ましくは７５〜９９．９９重量％の式１の２つ以上のグリコールエーテルから構成される。
【００３６】
一実施形態において、本肥料安定剤組成物は、Ｎ−メチル−２−ピロリドン（ＮＭＰ）を含まないか、または実質的に含まない。「を含まないか、または実質的に含まない」は、本肥料安定剤組成物が、本肥料安定剤組成物の重量に基づいて、１重量％未満、または０．５重量％未満、または０．１重量％未満、または０．０５重量％未満、または０．０１重量％未満のＮＭＰを含有することを意味する。
【００３７】
肥料組成物
一実施形態において本発明は、
（Ａ）上述の肥料安定剤組成物と、
（Ｂ）窒素系肥料と、を含む、肥料組成物である。
【００３８】
任意の窒素系肥料が本発明のこの実施形態の実施で使用されてもよく、代表的な窒素系肥料としては、尿素、尿素硝酸アンモニウム、アンモニア、堆肥等が挙げられるがこれらに限定されない。本肥料安定剤組成物は、任意の簡便な様式、例えば、肥料安定剤組成物を固体肥料顆粒上に噴霧し、次いで該顆粒を土の表面上または土の表面内へ適用するか、または本肥料安定剤組成物を１つ以上の液体肥料と直接混合した後で該混合物を畑上に噴霧するか、または土内へ肥料安定剤組成物内へアンモニアと一緒に注入するなどして、窒素系肥料に適用され得る。窒素系肥料に適用される肥料安定剤組成物の量は、便宜性によって異なり得るが、窒素系肥料の重量に基づいて、典型的には０．０１〜１０、より典型的には０．０１〜１、さらにより典型的には０．０１〜０．５重量％の肥料安定剤組成物が、窒素系肥料に適用される。
【実施例】
【００３９】
実施例１−ＮＢＰＴ溶解度及び貯蔵研究
処方：２０重量％のＮＢＰＴ／８０重量％の溶媒
ＮＢＰＴ及び溶媒をガラスバイアルに添加する。混合物を室温（２０−２５℃）で、オービタルシェーカー上で振り動かす。試料を検査して、すべてのＮＢＰＴが室温で溶解したかどうかを判定する。
【００４０】
各ＮＢＰＴ混合物を、室温（２０−２５℃）、５５℃、及び−２０℃の３つの温度で４週間貯蔵して、高温条件、周囲温度条件、及び周囲温度以下の条件で貯蔵安定性を評価する。４週間の貯蔵後、試料を、分解の表示である（１）色、及び２０重量％のＮＢＰＴを保持するのに十分ではない溶解力の指標である（２）結晶形成に関して外観検査する。
【００４１】
ＮＢＰＴは、混合物が明澄で結晶がないままでおり、−２０℃で４週間流動性であり、５５℃で４週間後に色がほとんどない（無色または淡黄色）場合、溶媒と混合可能であるとみなされる。
【００４２】
２つのグリコールエーテルのみが、ＮＢＰＴと混合可能であると特定される：メチルＣＡＲＢＩＴＯＬ（商標）（ＷＯ２０１４／０２８７６７  Ａ１及びＷＯ２００８／０００１９６  Ａ１に記載されるもの、式１のものではないアルキルグリコールエーテル、及び比較試料）と、ＤＯＷＡＮＯＬ（商標）ＥＰｈ６（式１の少なくとも２つの構造を含むグリコールエーテルと、本発明の試料との混合物）。混合可能なＮＢＰＴ混合物を生成した溶媒の引火点及び蒸気圧を、表１に列挙し、これは、メチルＣＡＲＢＩＴＯＬ（商標）が１９７°Ｆ（９１．７℃）の低引火点、及び２０℃で＞０．１ｍｍＨｇの高蒸気圧を有し、ＤＯＷＡＮＯＬ（商標）ＥＰｈ６が、３００°Ｆ（１４９℃）超の高引火点、及び２０℃で＜０．０００１ｍｍＨｇの低蒸気圧を有すると報告する。
【００４３】
ＤＯＷＡＮＯＬ（商標）ＰＰＨ、ＤＯＷＡＮＯＬ（商標）ＥＰＨ、ＤＯＷＡＮＯＬ（商標）ＤｉＰＰＨ、ＤＯＷＡＮＯＬ（商標）ＤｉＥＰＨ、及びＤＯＷＡＮＯＬ（商標）ＤＰＨ  ２２５（すべて式１に従う芳香族グリコールエーテル）が、ｎ＝１（ＰＰｈ及びＥｐｈ）、ｎ＝２（ＤｉＥＰｈ及びＤｉＰＰｈ）、またはｎ＝１及び２（ＤＰＨ  ２５５）を有し、これらの溶媒を有するＮＢＰＴ混合物は、結晶がないかまたは−２０℃で流動性である溶液を生成しないため、２０重量％のＮＢＰＴを保持するのに十分な溶解力を提供するＮＢＰＴ混合物を生成することができないことも留意されたい。これは、ＤＯＷＡＮＯＬ（商標）ＥＰｈ６がＮＢＰＴ溶媒として使用するための唯一の芳香族グリコールエーテル混合物であることを示す。
【００４４】
【表１】
2018534225.tif 000005
【００４５】
実施例２−ＮＢＰＴ混合物を含有する窒素肥料溶液の泡レベル
処方：２０重量％のＮＢＰＴ／８０重量％の担体
ＷＯ２０１４／０２８７１５  Ａ１及びＵＳＰ９，０９０，５１６は、担体として界面活性剤を使用する溶媒を含まないＮＢＰＴ組成物を教示する。ＮＢＰＴ担体として界面活性剤を使用することの問題は、泡の発生である。肥料業界で周知であるように、観察可能な量の泡が、界面活性剤の水溶液中に発生し得る。溶媒は、界面活性剤ではないため、泡を発生させない。この実施例は、ＤＯＷＡＮＯＬ（商標）ＥＰｈ６が泡を発生させないことを示す。
【００４６】
ＮＢＰＴ混合物（３１番−３６番）を、室温（２０−２５℃）で、オービタルシェーカー上で、ガラスバイアル内でＮＢＰＴ及び担体を混合させることにより調製する。表２に報告されるように、混合物３１番−３５番が明澄かつ無色である一方で、３６番は、分解を示す橙色である。
【００４７】
【表２】
2018534225.tif 000006
【００４８】
６０マイクロリットルのＮＢＰＴ混合物（３１番−３６番）を、３０ミリリットル（ｍＬ）の３４２ピーピーエム（ｐｐｍ）の世界保健機関（ＷＨＯ）標準硬水に添加する。この混合物を１５秒間、同じ試料ラック上で一緒に振り動かして、泡を発生させる。即時（時間＝０）に発生した泡の量を、定規で測定する。泡の高さを、時間＝０、時間＝１５分、及び時間＝６０分の時点で記録する。泡の高さが高ければ高いほど、より多くの泡が発生した。
【００４９】
同様に、６０マイクロリットルのＮＢＰＴ混合物（３１番−３６番）を、３０ｍＬの２８−０−０窒素−リン−カリウム肥料に添加する。この混合物を１５秒間、同じ試料ラック上で一緒に振り動かして、泡を発生させる。即時（時間＝０）に発生した泡の量を、定規で測定する。泡の高さを、時間＝０、時間＝１５分、及び時間＝６０分の時点で記録する。泡の高さが高ければ高いほど、より多くの泡が発生した。
【００５０】
下の表３に要約されているように、ＮＢＰＴ混合物３１番（溶媒としてＤＯＷＡＮＯＬ（商標）ＥＰｈ６を使用して調製）は、硬水中及び２８−０−０窒素肥料中に有意な量の泡を発生させない（＜２ｍｍの泡）。その一方で、ＮＢＰＴ担体として界面活性剤を含むすべての他の実施例（３２番−３６番）は、硬水中及び窒素肥料中に多量の泡を発生させる。したがって、ＤＯＷＡＮＯＬ（商標）ＥＰｈ６は、ＷＯ２０１４／０２８７１５  Ａ１、及びＵＳＰ９，０９０，５１６に記載される種類の担体ではないため、界面活性剤ではない。
【００５１】
【表３】
2018534225.tif 000007
【国際調査報告】
2018534225.tif 000010
2018534225.tif 000011